(57)【要約】【課題】容器本体の上部開口周縁に嵌合せしめて密封する蓋において、使用時に、いちいち取り外すことのないように折り曲げ自在のヒンジ式にし、かつヒンジ部から切れたり、閉封されている部分の蓋が容器本体から外れたりしないヒンジ付蓋の提供にある。【解決手段】容器本体２の上部開口周縁２１に嵌合する蓋で、天板部１１と一体をなし、該天板部の周縁の内面に断面コの字状の周縁部１５を備え、該周縁部にはスカート部１２を備え、前記天板部１１は開封すべき領域Ｌ１と閉封のままの領域Ｌ２とでなり、該開封すべき領域Ｌ１と閉封のままの領域Ｌ２との境界にヒンジ部１４を備えヒンジ付蓋１において、前記ヒンジ部１４の両端を挟んだ両側に凸部１７と凹部１８を設け、該凸部１７と凹部１８が嵌合する側面に嵌合突起部１７ａ、１８ａを備えたヒンジ付蓋１である。【選択図】図１
2007261588.tif 000002
【特許請求の範囲】
【請求項１】
合成樹脂製でなり、容器本体の上部開口周縁に嵌合せしめて密封する蓋で、天板部と一体をなし、該天板部の周縁の内面に、断面コの字状の周縁部を備え、該周縁部には、前記容器本体の上部開口周縁の外面に沿って下方に延びるスカート部を備え、前記天板部は開封すべき領域と閉封のままの領域とでなり、該開封すべき領域と閉封のままの領域との境界に薄肉でなるヒンジ部を備え、該ヒンジ部の両端にあるスカート部および断面コの字状の周縁部には切欠きを備えたヒンジ付蓋において、
前記ヒンジ部の両端を挟んだ両側に、凸部とそれが挿入嵌合される凹部を設け、該凸部と凹部が嵌合する側面に嵌合突起を備えたストッパー部が形成されていることを特徴とするヒンジ付蓋。
【請求項２】
前記開封すべき領域で、前記ヒンジ部側と対峙する側の端部近傍に、凹部でなる把手が設けられていることを特徴とする請求項１記載のヒンジ付蓋。
【発明の詳細な説明】
【技術分野】
【０００１】
本発明は、容器の上部開口周縁に嵌合せしめて密封する蓋に関するものであり、特に合成樹脂からなり、砂糖や小麦粉、洗剤などの粉体、粉粒体を収納する容器の蓋に関するものである。
【背景技術】
【０００２】
従来、洗剤などの粉体、粉粒体を収納する紙製胴部と合成樹脂部分を一体的に付着させた容器の上部開口に施す蓋があるが、この蓋はいたずらなどで開けられないように、蓋にタックラベルを貼付したり、蓋の上からシュリンクフィルムなどで覆うなどの方法がとられていた。しかしながら、これらの方法のいずれもが加工行程が増え、コストが嵩むといった問題点があった。
【０００３】
これらの問題点を解消するものとして、上部開口周縁の外面にその周縁に沿って突稜が形成された容器に施される密封用蓋であって、該容器の上部開口周縁の頂部に蜜に接触する周縁天部と、周縁天部と一体をなし容器の上部開口周縁の内面に沿い下降する周縁下降壁と、周縁天部と一体をなし容器の上部開口周縁の外面に沿い下方へ突出するスカート部とを備え、この周縁スカート部の内面には、前記周縁天部が容器の上部開口周縁の頂部に蜜に接触した状態で容器の突稜の下側面に蜜に接触するように内向き突出稜が形成され、この内向き突出稜より上方の位置で薄肉部が周縁方向に形成されているものがある（例えば、特許文献１参照。）。
【０００４】
以下に、上記先行技術文献を示す。
【特許文献１】特開平１−２５４５６３号公報
【発明の開示】
【発明が解決しようとする課題】
【０００５】
しかしながら、上記従来の密封用蓋は、内容物の使用時にいちいち容器本体から取り外し、使用後に再度その蓋を取り付けるといった煩雑さに加え、場合によっては蓋を紛失したりする危惧があるものであった。
【０００６】
上記のような問題点を解消するものとして、その密封用蓋をヒンジ式に折り曲げ自在にしたものがあり、その一事例として、例えば、図６の平面図、および図７の側面図に示すように、上部開口周縁（２１）を有する合成樹脂製の容器本体（２）に、天板部（１１）と一体をなし、該天板部（１１）の周縁（１１ａ）に、容器本体（２）の上部開口周縁（２１）の外面に沿って下方に延びるスカート部（１２）を備え、開封すべき領域（Ｌ１）と閉封のままの領域（Ｌ２）の境界に薄肉でなるヒンジ部（１４）を設け、このヒンジ部（１４）の両端にあるスカート部（１２）には切欠き（１２ａ）を設けた合成樹脂製でなる密封用蓋（３）がある。
【０００７】
上記密封用蓋付容器の使用時には、例えば、図８の側断面図に示すように、開封すべき領域（Ｌ１）の端に手を掛け、引っ張り上げると、薄肉でなるヒンジ部（１４）から折り曲げられて開封すべき領域（Ｌ１）にある密封用蓋（３）が開封され、閉封のままの領域（Ｌ２）の部分の蓋は、容器本体（２）の上部開口周縁（２１）に嵌合されたままになっている。
【０００８】
さらに、ヒンジ部（１４）で約９０°に折り曲げられ開封された状態を維持するため、
図６および図７に示すように、薄肉でなるヒンジ部（１４）の両端部を挟んで両側に凸部（１５ａ、１５ｂ）が施され、その凸部（１５ａ、１５ｂ）の内側に突起部（１６ａ、１６ｂ）が形成されていて、図８に示すように、ヒンジ部（１４）で約９０°に折り曲げられ開封されると、図９の拡大側面図に示すように、凸部（１５ａ、１５ｂ）同士が嵌合するとともに、突起部（１６ａ、１６ｂ）同士が嵌合して約９０°開封された状態を維持することができるようになっている。
【０００９】
しかしながら、上記ヒンジ式の密封用蓋（３）において、いちいち取り外すことを必要としないので、外した蓋を再度取り付け（閉封し）たり、あるいは取り外した蓋を探したり、紛失したりするといった煩雑さのない便利な密封用蓋（３）ではあるが、その使用時にヒンジ部（１４）で約９０°に折り曲げて開封すると、ヒンジ部（１４）を挟んで両側に設けられた凸部（１５ａ、１５ｂ）の先端同士がぶつかり合うことに加え、使用者がさらに広く（約９０°以上に）開けようとすると、嵌合した両凸部（１５ａ、１５ｂ）と両突起部（１６ａ、１６ｂ）がテコの原理により、閉封のままの領域（Ｌ２）の蓋が容器本体（２）から外れたり、さらには薄肉部でなるヒンジ部（１４）が切れてしまったりするという問題があった。
【００１０】
本発明は、かかる従来技術の問題点を解決するものであり、その課題とするところは、合成樹脂製でなり、容器本体の上部開口周縁に嵌合せしめて密封する蓋において、使用時に、いちいち取り外すことのないように、折り曲げ自在のヒンジ式にし、さらに必要以上に開封すべき領域の蓋を開いたとしても、その薄肉でなるヒンジ部から切れたり、あるいは閉封されている領域の蓋が容器本体から外れたりすることのないヒンジ付蓋を提供することにある。
【課題を解決するための手段】
【００１１】
本発明に於いて上記課題を達成するために、まず請求項１の発明では、合成樹脂製でなり、容器本体の上部開口周縁に嵌合せしめて密封する蓋で、天板部と一体をなし、該天板部の周縁の内面に、断面コの字状の周縁部を備え、該周縁部には、前記容器本体の上部開口周縁の外面に沿って下方に延びるスカート部を備え、前記天板部は開封すべき領域と閉封のままの領域とでなり、該開封すべき領域と閉封のままの領域との境界に薄肉でなるヒンジ部を備え、該ヒンジ部の両端にあるスカート部および断面コの字状の周縁部には切欠きを備えたヒンジ付蓋において、
前記ヒンジ部の両端を挟んだ両側に、凸部とそれが挿入嵌合される凹部を設け、該凸部と凹部が嵌合する側面に嵌合突起を備えたストッパー部が形成されていることを特徴とするヒンジ付蓋としたものである。
【００１２】
また、請求項２の発明では、前記開封すべき領域で、前記ヒンジ部側と対峙する側の端部近傍に、凹部でなる把手が設けられていることを特徴とする請求項１記載のヒンジ付蓋としたものである。
【発明の効果】
【００１３】
本発明は以上の構成であるから、下記に示す如き効果がある。
【００１４】
即ち、上記請求項１に係る発明によれば、合成樹脂製でなり、容器本体の上部開口周縁に嵌合せしめて密封する蓋で、天板部と一体をなし、該天板部の周縁の内面に、断面コの字状の周縁部を備え、該周縁部には、前記容器本体の上部開口周縁の外面に沿って下方に延びるスカート部を備え、前記天板部は開封すべき領域と閉封のままの領域とでなり、該開封すべき領域と閉封のままの領域との境界に薄肉でなるヒンジ部を備え、該ヒンジ部の両端にあるスカート部および断面コの字状の周縁部には切欠きを備えたヒンジ部付蓋とすることによって、使用時に、開封すべき領域の部分を引っ張り上げ、薄肉でなるヒンジ部
より折り曲げて容器本体から開封することができるので、いちいち蓋を取り外すといった煩わしさがなく、取り外した蓋を探したりあるいは紛失したりすることのないヒンジ付蓋を提供できる。
【００１５】
さらに、上記請求項１に係る発明によれば、ヒンジ部の両端を挟んだ両側に、凸部とそれが挿入嵌合される凹部を設け、該凸部と凹部が嵌合する側面に嵌合突起を備えたストッパー部が形成されていることによって、使用時の開封で、ヒンジ部を挟んだ一方の側にある凸部が他方の側にある凹部に挿入嵌合されて約１８０°開くようになるので、使用者がさらに広く開こうとしても開くことができず、よって従来の密封用蓋のように、凸部同士がぶつかり合って薄肉でなるヒンジ部が切れたり、あるいは閉封されている領域の部分の蓋が容器本体から外れたりしないヒンジ付蓋とすることができる。
【００１６】
また、この（約１８０°開いた）状態で、凸部と凹部が嵌合する側面の嵌合突起部同士が嵌合して固定され、ストッパーが掛かるので、再度閉じようとする（元に戻る）ことのないヒンジ付蓋とすることができる。
【００１７】
さらにまた、上記請求項２に係る発明によれば、開封すべき領域で、前記ヒンジ部側と対峙する側の端部近傍に、凹部でなる把手が設けられていることによって、使用時に、この把手に手を掛けて開封すべき領域の部分の蓋を容易に引っ張り上げて開封することができる。
【００１８】
従って本発明は、洗剤等粉粒状の内容物を収納する合成樹脂製の容器に嵌合する蓋の如き用途において、優れた実用上の効果を発揮するものである。
【発明を実施するための最良の形態】
【００１９】
以下本発明を実施するための最良の形態を図面を用いて詳細に説明する。
【００２０】
図１は、本発明のヒンジ付蓋の一事例を示す側面図であり、図２は、本発明のヒンジ付蓋を構成するストッパー部の一事例を示す拡大側面図である。また、図３は、本発明のヒンジ付蓋の一事例を平面で表した説明図であり、図４は、図３に示すヒンジ付蓋および容器本体のの側面図であり、図５は、本発明のヒンジ付蓋を構成するストッパー部の一事例を示す拡大上面図である。
【００２１】
本発明は、例えば、図１の側面図に示すように、合成樹脂製でなり、粉粒状の洗剤などを収納する容器本体（２）に施される蓋で、その内面に形成されている断面コの字状の周縁部（１５）を、容器本体（２）の上部に突出する上部開口周縁（２１）に嵌合せしめて密封する蓋にしようとするもので、その蓋は、天板部と一体をなし、前記周縁部（１５）には、容器本体（２）の上部開口周縁（２１）の外面に沿って下方に延びるスカート部（１２）を備え、前記天板部（１１）は開封すべき領域（Ｌ１）と閉封のままの領域（Ｌ２）とでなり、この開封すべき領域（Ｌ１）と閉封のままの領域（Ｌ２）との境界に薄肉でなるヒンジ部（１４）を備えたもので、その使用に際し、閉封のままの領域（Ｌ２）の部分を残し、開封すべき領域（Ｌ１）の部分のみをヒンジ部（１４）で折り曲げて開封することができ、いちいち容器本体（２）から取り外したり、使用後に再度取り付けるといった煩雑さのない使い勝手のよいヒンジ付蓋（１）に関するものである。
【００２２】
上記本発明のヒンジ付蓋（１）は、例えば、図３の平面図、およびその側面を表す図４に示すように、略長方体形状でなる合成樹脂製の容器本体（２）の上部開口周縁（２１）に嵌合するもので、略長方形状の天板部（１１）と一体をなし、その周縁（１１ａ）の内面下方に断面コの字状の周縁部（図示せず）を備え、その周縁部の外側に、前記容器本体（２）の上部開口周縁（２１）の外面に沿って下方に延びるスカート部（１２）を備え、
前記略長方形状の天板部（１１）には、略長方形状の長辺に対し開封すべき領域（Ｌ１）と閉封のままの領域（Ｌ２）とを有している。
【００２３】
上記開封すべき領域（Ｌ１）と閉封のままの領域（Ｌ２）との境界に薄肉でなるヒンジ部（１４）が設けられていて、このヒンジ部（１４）の両端にあるスカート部（１２）および断面コの字状の周縁部（図示せず）には切欠き（１２ａ）が設けられたヒンジ付蓋（１）である。
【００２４】
上記ヒンジ付蓋（１）の特徴とするところは、薄肉でなるヒンジ部（１４）の両端を挟んだ左側の閉封のままの領域（Ｌ２）に凸部（１７）が形成され、右側の開封すべき領域（Ｌ１）には、左側の凸部（１７）が挿入され嵌合される凹部（１８）が形成されているヒンジ付蓋（１）とすることにある。
【００２５】
さらに、凸部（１７）の内側面には半球状の嵌合突起部（１７ａ）が設けられ、この凸部（１７）が嵌合する凹部（１８）の内側面には横長の嵌合突起部（１８ａ）が設けられていて、これら凸部（１７）とその半球状の嵌合突起部（１７ａ）および凹部（１８）とその横長の嵌合突起部（１８ａ）とでストッパー部（５）を構成しているヒンジ付蓋（１）である。
【００２６】
上記ストッパー部（５）をさらに詳しく説明すると、例えば、図５の拡大平面図に示すように、天板部（１１）に設けられた薄肉でなるヒンジ部（１４）を挟んだ両側に凸部（１７）と凹部（１８）を備えていて、その凸部（１７）の内側面には半球状の嵌合突起部（１７ａ）が形成され、凹部（１８）の内側面には横長の嵌合突起部（１８ａ）が形成されている。
【００２７】
尚、上記ストッパー部（５）として、特に図示しないが、左側の閉封のままの領域（Ｌ２）に凹部（１８）を形成し、右側の開封すべき領域（Ｌ１）に凸部（１７）を形成し、図３および図４に示す凸部（１７）と凹部（１８）とを逆にしても構わない。
【００２８】
また、本発明では、例えば、図３の平面図、および図４の側面図に示すように、開封すべき領域（Ｌ１）の端部、すなわちヒンジ部（１４）側と対峙する側の端部近傍に、凹部でなる把手（１３）を設けたヒンジ付蓋（１）とするものである。
【００２９】
このように、天板部（１１）の開封すべき領域（Ｌ１）と閉封のままの領域（Ｌ２）の境界にヒンジ部（１４）を設け、そのヒンジ部（１４）両端部の両側にお互いに嵌合する凸部（１７）と凹部（１８）およびそれらの内側面の嵌合突起部（１７ａ、１８ａ）でなるストッパー部（５）を設けたものとすることによって、その使用に際し、例えば、図５の側面図に示すように、天板部の開封すべき領域（Ｌ１）にある把手（１３）に手を掛け引っ張り上げると、ヒンジ部（１４）で折り曲げられ開封すべき領域（Ｌ１）の蓋が開封され、ヒンジ部（１４）の左側にある閉封のままの領域（Ｌ２）の部分の蓋は、容器本体（２）の上部開口周縁（２１）に嵌合されたままになっていて、従来のように、いちいち容器本体から取り外し、再度閉封するといった煩わしさがなく、かつ取り外した蓋を探したり、延いては紛失したりすることのない使い勝手のよいヒンジ付蓋（１）とすることができる。
【００３０】
さらに、図１および図５等に示すようなストッパー部（５）を備えていることによって、例えば、その拡大側面図として、図２（ａ）に示すように、開封すべき領域（Ｌ１）のヒンジ付蓋（１）をヒンジ部（１４）で折り曲げて開封角度（α）を約１６０°まで広げると、左側の閉封のままの領域（Ｌ２）の部分の蓋に設けられている凸部（１７）が開封すべき領域（Ｌ１）にある凹部（１８）に嵌合するとともに、この凸部（１７）の内側面
に設けられた半球状の嵌合突起部（１７ａ）が凹部（１８）の内側面に設けられた横長の嵌合突起部（１８ａ）に嵌合して、開封角度（α）を約１６０°まで広げられた状態を維持する（元に戻らないようにする）ことができるようになっているヒンジ付蓋（１）とするものである。
【００３１】
また、使用者は、さらに広げようとする習性があり、そのようにしようとしても、例えば、図２（ｂ）の拡大側面図に示すように、開封すべき領域（Ｌ１）のヒンジ付蓋（１）の上部周縁（１１ｂ）と、閉封のままの領域（Ｌ２）のヒンジ付蓋（１）の上部周縁（１１ｂ）とがぶつかってしまい開封角度（α）を約１８０°までしか開かないようになっている。
【００３２】
このため、従来のように、約９０°以上広げると、ヒンジ部（１４）から切れてしまったり、あるいは閉封のままの領域（Ｌ２）のヒンジ付蓋（１）が容器本体（２）の上部開口周縁（２１）から外れてしまったりする危惧のないヒンジ付蓋（１）とすることができる。
【００３３】
また、例えば、図３および図４に示すように、開封すべき領域（Ｌ１）と閉封のままの領域（Ｌ２）との比率は、内容物の種類や容器のサイズなどによって異なるので、特に限定するものではないが、例えば、内容物が粉粒状の洗剤の場合などでは、比較的広い開口が要求されるので、具体的には、１６８ｍｍ×１０６ｍｍの天板部の場合で１４０ｍｍ：２８ｍｍ、すなわち５：１程度が好ましい値である。
【００３４】
上記ヒンジ付蓋（１）の製造方法としては、溶融された合成樹脂を射出成形用金型のキャビティ内に、射出成形機のシリンダーのノズルから流入する汎用の射出成形法でなされるのが一般的である。
【００３５】
それに使用される合成樹脂としては、例えば、ポリエチレン、ポリスチレン、ポリプロピレン、ＡＢＳ樹脂、ポリアセタール、メタアクリル酸メチル樹脂、ポリカーボネートなどが挙げられるが、薄肉でなるヒンジ部（１４）での折り曲げ適性や嵌合突起部（１７ａ、１８ａ）での嵌合適性などの点からポリエチレンやポリプロピレン樹脂などが好適である。なお、内容物の外光からの保護やデザイン等を考慮し、ブルー、レッドあるいは白色等の着色材を上記樹脂に混練するのが一般的である。
【００３６】
また、上記ヒンジ付蓋（１）が施される容器本体（２）の材料構成は、特に限定するものではないが、例えば、図１に示すように、ヒンジ付蓋（１）の周縁内面に形成されている断面コの字状の周縁部（１５）に嵌合し易くかつ外れにくく、さらに開封すべき領域（Ｌ１）での断面コの字状の周縁部（図示せず）では、開封しようとする際に開封し易いような上部開口周縁（２１）を有する材料構成でなるものが好ましい。そのようにするには、上記ヒンジ付蓋（１）に使用されるものと同じ合成樹脂、例えば、ポリエチレンやポリプロピレン樹脂などが介在していることがより好適である。
【００３７】
その材料構成とその製造等について具体的に説明すると、家庭用の洗濯用粉末洗剤を収容するために用いられる複合容器でなる容器本体（２）として、例えば、平板状のブランク板を折り曲げて筒状とし、容器本体（２）の胴部を構成し、この胴部の形成にガイド金型等によって折り曲げられ、この折り曲げられたブランク板は、その両側縁の間の間隙および底部を埋め、かつブランク板上部開口周縁を覆うように合成樹脂部分が一体的に成形された複合容器である。
【００３８】
この複合容器でなる容器本体（２）の製造は、ガイド金型で折り曲げられたブランク板を成形金型のキャビティ内に載置する。このキャビティの形状は、容器本体（２）の形状
と同じであり、このキャビティ内にブランク板をセットした後、キャビティ内に溶融された合成樹脂が射出されて複合容器とするものである。
【００３９】
このように、容器本体（２）の少なくとも上部開口周縁（２１）が上記のような合成樹脂でなるか、もしくは覆われていて、その合成樹脂がヒンジ付蓋（１）とほぼ同類（種）であることが望ましい。
【００４０】
このことによって、上記ヒンジ付蓋（１）を構成する断面コの字状の周縁部（１５）に嵌合（閉封）し易く、かつ外れにくくし、さらに開封すべき領域（Ｌ１）での断面コの字状の周縁部（１５）では開封しようとする時に、外し（開封し）易いようにすることができる。
【００４１】
以上のように、本発明は、粉体あるいは粉粒体状の洗剤等を収納する容器に施す合成樹脂製の蓋で、使用時に、取り外しに煩雑さがなく、ヒンジ部で切れたり、開封されない部分まで外れたりしない使い勝手のよいヒンジ付蓋として、実用上優れた効果を奏するものである。
【図面の簡単な説明】
【００４２】
【図１】本発明のヒンジ付蓋、および容器本体の一事例を示すもので、それを開封した時の側面図である。
【図２】本発明のヒンジ付蓋を構成するストッパー部の一事例を示すもので、（ａ）は、開封し、突起部で嵌合した時の拡大側面図であり、（ｂ）は、さらに最大に広げた時の拡大側面図である。
【図３】本発明のヒンジ付蓋の一事例を平面で表した説明図である。
【図４】本発明のヒンジ付蓋、および容器本体の一事例を側面（一部側断面）で表した説明図である。
【図５】本発明のヒンジ付蓋を構成するストッパー部の一事例を示すもので、その拡大上面図である。
【図６】従来のヒンジ式でなる密封用蓋の一事例を平面で表した説明図である。
【図７】従来のヒンジ式でなる密封用蓋、および容器本体の一事例を側面（一部側断面）で表した説明図である。
【図８】従来のヒンジ式でなる密封用蓋及び容器本体の一事例を示すもので、その密封用蓋を開封した時の側面図である。
【図９】従来のヒンジ式でなる密封用蓋を構成するストッパー部の一事例を説明する拡大側面図である。
【符号の説明】
【００４３】
１‥‥ヒンジ付蓋
２‥‥容器本体
３‥‥従来の密封用蓋
５‥‥ストッパー部
１１‥‥天板部
１１ａ‥‥天板部の周縁
１１ｂ‥‥蓋の上部周縁
１２‥‥スカート部
１２ａ‥‥スカート部の切り欠き
１３‥‥把手
１４‥‥ヒンジ部
１５‥‥断面コの字状の周縁部
１５ａ‥‥従来の一方側の凸部
１５ｂ‥‥従来の他方側の凸部
１６ａ‥‥従来の一方側の凸部の突起部
１６ｂ‥‥従来の他方側の凸部の突起部
１７‥‥凸部
１７ａ‥‥凸部の半球状の嵌合突起部
１８‥‥凹部
２１‥‥容器本体の上部開口周縁
Ｌ１‥‥開封すべき領域
Ｌ２‥‥閉封のままの領域
α‥‥開封角度
【図１】
2007261588.tif 000003
【図２】
2007261588.tif 000004
【図３】
2007261588.tif 000005
【図４】
2007261588.tif 000006
【図５】
2007261588.tif 000007
【図６】
2007261588.tif 000008
【図７】
2007261588.tif 000009
【図８】
2007261588.tif 000010
【図９】
2007261588.tif 000011